(57)【要約】【課題】  簡易に組み立てることができる色紙用カバーを実現する。【解決手段】  弾性を有する透明のプラスチックを素材に用いた１枚の板材により、カバー本体１０の正面を構成する正面部１１と、正面部１１に連なってカバー本体１０の側面を構成する４つの側面部１２ａ〜ｄであって、そのうちの対向する２つの側面部１２ａ，１２ｃの両端に舌片が延設されたものと、４つの側面部１２ａ〜ｄに連なってカバー本体１０の背面を構成する４つの背面部１３ａ〜ｄであって、そのうちの一方の対向する２つの背面部１３ｂ，１３ｄに色紙を係止する係止部２１ａ，２１ｂが固着されるとともに両端に差込片が延設され、他方の対向する２つの背面部１３ａ，１３ｃに色紙を把持する把持部２２ａ，２２ｂが固着されるとともに差込片が差し込まれる差込孔が穿設されたものとを形成する。【選択図】        図１
0003152061.tif 000002
【実用新案登録請求の範囲】
【請求項１】
弾性を有する透明のプラスチックを素材に用いた１枚の板材により、
カバー本体（１０）の正面を構成する正面部（１１）と、
前記正面部の四辺にそれぞれ連なって前記カバー本体の側面を構成する４つの側面部（１２ａ〜ｄ）であって、前記４つの側面部のうちの対向する２つの側面部（１２ａ，１２ｃ）の両端にそれぞれ舌片（Ｔ）が延設されたものと、
前記４つの側面部にそれぞれ連なって前記カバー本体の背面を構成する４つの背面部（１３ａ〜ｄ）であって、前記４つの背面部うちの一方の対向する２つの背面部（１３ｂ，１３ｄ）の両端にそれぞれ差込片（１４ａ〜ｄ）が延設され、他方の対向する２つの背面部（１３ａ，１３ｃ）に前記差込片がそれぞれ差し込まれる差込孔（１５ａ〜ｄ）が穿設されたものとを形成し、
前記差込片が延設された前記一方の対向する２つの背面部に色紙（１００）を係止するための係止部（２１ａ，２１ｂ）を固着するとともに、前記差込孔が穿設された前記他方の対向する２つの背面部に前記色紙を把持するための把持部（２２ａ，２２ｂ）を固着した色紙用カバー。
【考案の詳細な説明】
【技術分野】
【０００１】
本考案は色紙用カバーに関する。具体的には、とくに小さく折った折り鶴等を固着した色紙を壁などに飾る場合に用いるのに適した、簡易に組み立てることができる色紙用カバーを提供せんとするものである。
【背景技術】
【０００２】
例えば、図５（斜視図）に示すように、小さく折った折り鶴２００を接着剤を用いて色紙１００の中央部に固着したうえで、壁などに飾ることが、従来より行われている。その場合、折り鶴２００を固着した色紙をそのまま壁などに飾ることの他に、折り鶴２００を固着した色紙を額縁に嵌装して飾ることも行われている。
【先行技術文献】
【特許文献】
【０００３】
【特許文献１】実用新案登録第３０５３４０号公報
【考案の概要】
【考案が解決しようとする課題】
【０００４】
しかしながら、折り鶴２００を固着した色紙をそのまま壁などに飾ったり、あるいは、折り鶴２００を固着した色紙を額縁に嵌装して飾る場合は、埃や油煙などが折り鶴２００に付着してしまい、折り鶴２００が有する装飾的価値を損なってしまうことになる。
【０００５】
また、折り鶴２００は、絵画や写真などとは異なり一定の厚みを有するため、折り鶴２００を固着した色紙を額縁に嵌装すると、折り鶴２００が額縁よりも前面に突出してしまうことから、本来、折り鶴２００を固着した色紙は、額縁に嵌装するにはなじまないものである。
【課題を解決するための手段】
【０００６】
そこで、上記課題に照らし、本考案はなされたものである。そのために、本考案では、弾性を有する透明のプラスチックを素材に用いた１枚の板材により、カバー本体の正面を構成する正面部と、正面部に連なってカバー本体の側面を構成する４つの側面部であって、そのうちの対向する２つの側面部の両端に舌片が延設されたものと、４つの側面部に連なってカバー本体の背面を構成する４つの背面部であって、そのうちの一方の対向する２つの背面部の両端に差込片が延設され、他方の対向する２つの背面部に差込片が差し込まれる差込孔が穿設されたものとを形成し、かつ、差込片が延設された２つの背面部に色紙を係止するための係止部を固着するとともに、差込孔が穿設された２つの背面部に色紙を把持するための把持部を固着するようにした
【考案の効果】
【０００７】
本考案によるならば、色紙に固着された折り鶴などには埃や油煙等が付着することはないので、その装飾的価値が損なわれることはなく、埃や油煙等が付着するとしても、それはプラスチック製のカバー本体１０に付着することから、簡単に除去することができる。
【０００８】
また、折り鶴を固着した色紙を額縁に嵌装した場合の、折り鶴が額縁よりも前面に突出してしまうというような違和感も生じない。したがって、本考案によりもたらされる効果は、実用上極めて大きい。
【図面の簡単な説明】
【０００９】
【図１】本考案の一実施例の構成を示す、一部を切り欠いた斜視図である。
【図２】図１に示した色紙用カバーの展開図である。
【図３】図２のＡ−Ａ線およびＢ−Ｂ線に沿う断面図である。
【図４】図１に示したカバー本体内に色紙を収容した状態を示す、一部を切り欠いた斜視図である。
【図５】折り鶴を固着した色紙を示す斜視図である。
【考案を実施するための形態】
【００１０】
本考案による色紙用カバーは、弾性を有する透明のプラスチックを素材に用いた１枚の板材により、カバー本体の正面を構成する正面部と、正面部に連なってカバー本体の側面を構成する４つの側面部であって、そのうちの対向する２つの側面部の両端に舌片が延設されたものと、４つの側面部に連なってカバー本体の背面を構成する４つの背面部であって、そのうちの一方の対向する２つの背面部の両端に差込片が延設され、他方の対向する２つの背面部に差込片が差し込まれる差込孔が穿設されたものとを形成する。そして、差込片が延設された２つの背面部に色紙を係止するための係止部を固着するとともに、差込孔が穿設された２つの背面部に色紙を把持するための把持部を固着する。以下、実施例により詳しく説明する。
【実施例１】
【００１１】
本考案の一実施例の構成を、図１に示し説明する。ここで、図１は、本実施例における色紙用カバーの構成を示す、一部を切り欠いた斜視図である。
【００１２】
図１において、色紙を収容するカバー本体１０は、弾性を有する透明のプラスチックを素材に用いた板材により方形体状に形成されている。このカバー本体１０は、図２（展開図）に示すように、１枚の板材からなり、破線で示す折り曲げ線により正方形として画される、カバー本体１０の正面を構成する正面部１１と、正面部１１の四辺にそれぞれ連なってカバー本体１０の側面を構成する４つの側面部１２ａ〜ｄと、４つの側面部１２ａ〜ｄにそれぞれ連なってカバー本体１０の背面を構成する４つの背面部１３ａ〜ｄとからなっている。
【００１３】
そして、４つの側面部１２ａ〜ｄのうちの図２上で左右方向において対向する各側面部１２ａ，１２ｃの両端に、それぞれ舌片Ｔが延設されている。また、４つの背面部１３ａ〜ｄのうちの図２上で上下方向において対向する２つの背面部１３ｂ，１３ｄの両端に、それぞれ略Ｌ字状の差込片１４ａ〜ｄが延設され、左右方向において対向する２つの背面部１３ａ，１３ｃに、差込片１４ａ〜ｄが差し込まれる差込孔１５ａ〜ｄが穿設されている。
【００１４】
図１において、カバー本体１０の上下の背面部１３ｂ，１３ｄには、図２のＡ−Ａ線に沿う断面図である図３（ａ）に示すように、断面形状がＬ字状に形成された、色紙を係止するための係止部２１ａ，２１ｂが固着されている。この係止部２１ａ，２１ｂの素材は、カバー本体１０の素材と同じである。
【００１５】
図１において、カバー本体１０の左右の背面部１３ａ，１３ｃには、図２のＢ−Ｂ線に沿う断面図である図３（ｂ）に示すように、断面形状が稲妻形状に形成された、色紙を把持するための把持部２２ａ，２２ｂが固着されている。この把持部２２ａ，２２ｂの素材もカバー本体１０の素材と同じである。
【００１６】
以上のような構成のカバー本体１０を組み立てる場合は、図２上で左右方向において対向する２つの側面部１２ａ，１２ｃの各舌片Ｔを破線で示す折り曲げ線に沿って紙面に垂直方向に折り曲げたうえで、正面部１１を画する折り曲げ線に沿って４つの側面部１２ａ〜ｄを紙面に垂直方向に折り曲げる。ついで、各背面部１３ａ〜ｄを折り曲げ線に沿って正面部１１と平行となるように折り曲げる。
【００１７】
そこで、図１上で上下の背面を構成する各背面部１３ｂ，１３ｄの両端に延設された各差込片１４ａ〜ｄを、図１上で左右の背面を構成する各背面部１３ａ，１３ｄに穿設された各差込穴１５ａ〜ｄに差し込めば、カバー本体１０は方形体状に形成されることになり、その形状が維持されることになる。
【００１８】
図４は、以上のように構成されたカバー本体１０内に、折り鶴が固着された色紙を収容した場合の様子を示している。すなわち、折り鶴２００が固着された色紙１００の左右の両端部を、各把持部２２ａ，２２ｂと各背面部１３ａ，１３ｂとの間の間隙に差し込んだうえで、各係止部２１ａ，２１ｂにより色紙１００の上下の両端を挟むことにより折り鶴２００が固着された色紙１００を装着して、カバー本体１０内に収容する。
【００１９】
このように、折り鶴２００が固着された色紙１００をカバー本体１０内に収容するならば、これを壁などに飾った場合に折り鶴２００自体には埃や油煙等が付着することはなく、その装飾的価値が損なわれることはない。埃や油煙等が付着するとしても、それはプラスチック製のカバー本体１０に付着するので、これを除去するのは容易である。
【００２０】
また、前述のように、折り鶴２００を固着した色紙１００を額縁に嵌装した場合は、折り鶴２００が額縁よりも前面に突出してしまい違和感が生ずるが、本考案による色紙用カバーであれば、そのような違和感も生じない。
【００２１】
以上においては、色紙１００に折り鶴２００を固着する場合を例に挙げて説明した。しかし、本考案は、これに限定されるものではない。その他にも、例えば、小さな凧や千代紙で作った人形などを色紙に固着する場合についても、本考案は適用され得るものである。
【００２２】
さらには、色紙には何も固着せずにサインのみを記した色紙を、カバー本体１０内に収容する場合についても、本考案は適用することができるものである。
【符号の説明】
【００２３】
１０  カバー本体
１１  正面部
１２ａ〜１２ｄ  側面部
１３ａ〜１３ｄ  背面部
１４ａ〜１４ｄ  差込片
１５ａ〜１５ｄ  差込孔
２１ａ，２１ｂ  係止部
２２ａ，２２ｂ  把持部
１００  色紙
２００  折り鶴
Ｔ  舌片
【図１】
0003152061.tif 000003
【図２】
0003152061.tif 000004
【図３】
0003152061.tif 000005
【図４】
0003152061.tif 000006
【図５】
0003152061.tif 000007